(57)【特許請求の範囲】
【請求項１】
− 軸に沿って延在し複数の細長いファセットを有する、幅方向の寸法に比して長さ方向に長い寸法を持つ細長い反射体であって、前記複数の細長いファセットが互いに沿うように延在するとともに前記軸に沿って延在し、前記複数の細長いファセットの各々が反射面を有し、前記細長いファセットが湾曲の断面を有する細長い反射体、
− 前記細長いファセットの前記反射面と、細長い凹型のカウンタ反射体の、面Ｔに位置する光放射窓とが、相互に互いに向き合うように前記軸に沿って延在する前記細長い凹型のカウンタ反射体、
− 前記細長い反射体と前記カウンタ反射体との間に位置するコンタクト手段であって、少なくとも１つの電気ランプを収容するコンタクト手段、
を有する照明装置であって、
ファセットｎの湾曲は、前記電気ランプの動作中、前記光放射窓から到来しそれぞれのファセットｎに入射する光がビーム角Φｎを有するビームとして反射するようにされたものであり、前記ビームの光が前記カウンタ反射体に沿って進むように反射するときの前記面Ｔに対する反射角の最大値はαｎに等しい、照明装置。
【請求項２】
前記ビームの光が反射するときの前記面Ｔに対する反射角の最小値はβに等しく、０≦β＜αｎであり、好ましくはβ＝３０°である、請求項１に記載の照明装置。
【請求項３】
前記コンタクト手段の最も近くに存在するファセットの湾曲は、前記コンタクト手段から遠い方に位置するファセットの湾曲の半径よりも大きい半径Ｒｎを有する、請求項１又は２に記載の照明装置。
【請求項４】
前記光放射窓から開口角δｎで光が照射される各ファセットｎの半径Ｒｎは、０．５δｎ≦Ｒｎ≦２δｎであり、Ｒｎはｍｍで表されるファセットｎの湾曲の半径であり、δｎは度で表される、請求項１、２、又は３に記載の照明装置。
【請求項５】
各ファセットの湾曲は、両側が、端部に隣接しており、前記端部は前記軸に沿って延在する折り目の形を有し、前記折り目は、断面で、最小で角度γ＝３０°の湾曲と、０．１ｍｍ≦Ｒfil≦３ｍｍの範囲内の曲率半径Ｒfilとを示すようになっている、請求項１、２、３、又は４に記載の照明装置。
【請求項６】
前記細長い反射体は、前記幅方向及び前記長さ方向に加え高さ方向に寸法を持ち、前記幅方向の寸法に対する前記高さの方向の寸法の比は、少なくとも４：１である、請求項１から５のうちのいずれか１項に記載の照明装置。
【請求項７】
前記ファセットは実質的に面Ｑに存在し、前記面Ｑは前記面Ｔに対して平行に広がる、請求項１から６のうちのいずれか１項に記載の照明装置。
【請求項８】
前記ファセットはサブファセットから形成される、請求項１から７のうちのいずれか１項に記載の照明装置。
【請求項９】
前記細長い反射体および／又は前記カウンタ反射体は、光透過手段が備えられる、請求項１から８のうちのいずれか１項に記載の照明装置。
【請求項１０】
前記光透過手段は、前記細長い反射体および／又はカウンタ反射体の表面に好ましくは均一に分布する開口である、請求項９に記載の照明装置。
【請求項１１】
前記反射体は前記光透過窓に直に対向して位置する中央ファセットを有し、前記中央ファセットは断面がまっすぐである、請求項１から１０のうちのいずれか１項に記載の照明装置。
【請求項１２】
相互に隣接するファセットが接続面によって相互接続され、前記コンタクト手段に近い方に位置する接続面と前記面Ｔとのなす角μは、前記コンタクト手段から遠い方に位置する接続面と前記面Ｔとのなす角よりも大きく、前記接続面は、前記電気ランプから発生した光をこのランプの動作中少なくとも実質的に反射しないような方向に向けられている、請求項１から１１のうちのいずれか１項に記載の照明装置。
【請求項１３】
請求項１から１２のうちのいずれか一項に記載の照明装置と電気ランプとのアセンブリであって、前記カウンタ反射体は前記電気ランプの一部分である、アセンブリ。
【発明の詳細な説明】
【技術分野】
【０００１】
本発明は、
−  軸に沿って延在し複数の細長いファセットを有する細長い反射体であって、上記複数の細長いファセットが互いに沿うように延在するとともに上記軸に沿って延在し、上記複数の細長いファセットの各々が反射面を有し、上記細長いファセットが湾曲の断面を有する細長い反射体、
−  上記細長いファセットの上記反射面と、細長い凹型のカウンタ反射体の、面Ｔに位置する光放射窓とが、相互に互いに向き合うように上記軸に沿って延在する上記細長い凹型のカウンタ反射体、
−  上記細長い反射体と上記カウンタ反射体との間に位置するコンタクト手段であって、少なくとも１つの電気ランプを収容するコンタクト手段、
を有する照明装置に関する。
【０００２】
本発明は、更に、電気ランプと照明装置とのアセンブリに関する。
【背景技術】
【０００３】
斯かる照明装置は、ＵＳ１９００５５１号から既知である。この既知の照明装置は、一般の照明目的のための間接光源として使用されるように設計されている。反射体のファセットは、断面図に示すように、まっすぐであるか、対向反射体に向かって凸状に曲がっている。断面がまっすぐであるファセットが備えられるこの既知の照明装置は、電気ランプから発生した光を望ましくない高い輝度で反射し、これはグレアのリスクを増大させ、周囲とのコントラスト差の制御をより困難にするという不利な点を有する。更に、観測者は、斯かる望ましくない高い輝度の光ビームをしばしば不快であると感じる。この既知の照明装置に断面が凸状のファセットが備えられる場合、ファセットの湾曲は、光源から生じファセットに入射する光の一部がファセットで反射して照明装置（特に電気ランプおよび対向反射体）に戻るようにされており、ファセットは、光源から生じファセットに入射する光の一部がファセットで反射して照明装置（特に電気ランプおよび対向反射体）に戻るように、電気ランプに対して位置付けられ向きが定められている。この既知の照明装置の不利な点は、断面が湾曲を示すファセットを有するとき、光ビームが照明装置から比較的好ましくなく且つ効率の悪いやり方で得られることである。
【発明の開示】
【発明が解決しようとする課題】
【０００４】
本発明の目的は、冒頭のパラグラフで言及されている照明装置の不利な点を抑制することである。
【課題を解決するための手段】
【０００５】
この目的を達成するために、冒頭のパラグラフに記載された種類の照明装置は、ファセットｎの湾曲が、上記電気ランプの動作中、上記光放射窓から到来しそれぞれのファセットｎに入射する光がビーム角Φｎを有するビームとして反射するようにされたものであり、上記ビームの光が反射するときの反射の最大角は最大でαｎに等しく、αｎは、上記光が上記カウンタ反射体に沿って進むように反射するときの上記面Ｔに対する反射角である。
【０００６】
本発明による照明装置は、カウンタ反射体に対して断面が凹又は凸の湾曲を持つファセットを有することができる。あるいは、本発明による照明装置は、凸状の形のファセットおよび凹状の形のファセットを有することができる。湾曲は、例えば、円、放物線、双曲線、若しくは楕円の弧に沿うようにすることができ、又はファセットがサブファセットから構成されるようにして湾曲を実現することもできる。反射体は、光放射窓に直に向かい合って存在する中央のファセットを有することができ、この中央のファセットは、断面が直線であり、例えば、照明装置の２つの側に渡って少なくとも実質的に等しい光量分布が実現されるように（とがった）ポイントを形成する。これらの中央のファセットは、直に観察されることに対して、カウンタ反射体により、少なくとも実質的に完全に守られ、これらの直線状のファセットで反射する光によって生じる可能性のあるグレアから、観察者を保護することができる。
【０００７】
ファセットに請求項１の特徴部分に規定されるような湾曲を与えることにより、各ファセットｎが光ビームにビーム角Φｎを与えることが達成される。観測者が本発明による照明装置を見ると、ファセットｎに対して、Φｎは少なくとも実質的にαｎに等しく、この観測者は、照明装置のファセットｎによって全体に幾分薄暗い光ビームが提供されるかのように感じることが分かった。照明装置の個々のファセットは、ファセットの間の輝度を引き立たせる遷移領域のため、観測者により見分けることができる。各ファセットｎによってビームとして反射する光は、Φｎ＝αｎの最大ビーム角を有する。角αｎの値は、照明装置の断面の平面内の光線の経路の構成から決定される。観測者の目のくらみは、本発明による照明装置で和らげられることが分かった。同時に、動作中に電気ランプから生じる光は、請求項１の特徴部分に規定されるようなファセットの形状によって、ファセットで反射して照明装置に戻らないことが達成される。したがって、光ビームは、比較的好ましく且つ効果的なやり方で、照明装置から得ることができる。
【０００８】
好適実施例では、本発明による照明装置は、上記ビームの光が反射するときの上記面Ｔに対する反射の最小角は最小でβに等しく、０≦β＜αｎであり、好ましくはβ＝３０°であることを特徴とする。各ファセットｎによりビームとして反射する光は、Φｎ＝αｎ−βの最大ビーム角を有する。映像画面付きのオフィス家具を含む空間の天井から照明する照明装置の場合、照明技術での決められた標準基準は、この画面でのミラーリングおよびグレアを防止するように、面Ｔが水平に位置するときの角βが最小で３０°である。β＞０において、全ての光はオフィス家具の方向に反射する。他のアプリケーションを有するスペースの照明に対して、βは３０°以外、例えば２０°の値を有することができる。
【０００９】
本発明による照明装置のビーム角Φｎは、ファセットｎの湾曲の中の小さな変化によって、所与の限度αｎおよびβ内に調節することができる。そのとき、上記コンタクト手段の最も近くに存在するファセットの湾曲は、上記コンタクト手段から遠い方に位置するファセットの湾曲の半径よりも大きい半径Ｒｎを有することが好ましい。結果として、ファセットは、少なくとも実質的に断面が同じ大きさを有するが、同時に、ファセットの断面にこの同じ大きさが与えられているので、各ファセットｎはある程度同じビーム角Φｎの光ビームを提供することが達成される。このように形作られる照明装置の実験で、観測者は全てのファセットにより同じ輝度の光が放射されるかのような光学的効果を感じることが分かった。光放射窓から開口角δｎで照射される各ファセットｎの半径Ｒｎに対して、０．５δｎ≦Ｒｎ≦２δｎ（Ｒｎはｍｍで表されるファセットｎの湾曲の半径であり、δｎは度で表される）が当てはまる場合、この光学的効果は特に機能することも分かった。
【００１０】
発生した光の輝度を付加的な方法により調節できる本発明による照明装置は、各ファセットの湾曲が軸に沿って延在する折り目の形で端部に隣接し、上記折り目は、断面で、最小で角度γ＝３０°の湾曲と、０．１ｍｍ≦Ｒfil≦３ｍｍの範囲内の曲率半径Ｒfilとを示すようになっている、ことを特徴とする。このように形成される端部は、十分に発散し輝く線状エレメントとして作用し、この線状エレメントにより、相互に隣接する２つのファセットの間の遷移領域を調節できる。上記の範囲の最小値より小さい曲率半径Ｒfilの値が与えられると、遷移領域は、十分に弱い輝度、又は全然強くない輝度を有することが観測される。上記の範囲の最大値より大きいＲfilの値が与えられると、観測者は、遷移領域の輝度が大きすぎると知覚する。面Ｔに最も近くに位置するそれぞれのファセットの折り畳まれた端部は、電気ランプの動作中、基本的に光を常に受け取り、それに応じて、光る線状エレメントとして常に機能する。面Ｔから最も離れて存在するそれぞれのファセットの折り畳まれた端部は、通常、隣りのファセットによって、光を直に受け取ることから守られ、それに応じて、光る線状エレメントとして基本的に機能しない。したがって、後者の端部は、通常、その機能が、光り輝く線状エレメントとして最適に利用されるものではないが、その機械的特性に関してかなり最適に利用され、平らなプレートからの反射体材料の製造を容易にする。
【００１１】
好適実施例では、本発明による照明装置は、上記細長い反射体は、少なくとも４：１の幅/高さ比を有し、この反射体は、全体が凸又は凹の曲線形状の断面を有することができる。この幅／高さ比により、照明装置に小さい構造的深さ（constructional depth）又は結合深さ（incorporation depth）が与えられ、これは、照明装置を比較的低い天井および／又は比較的高さの低い空間での使用に適したものにする。特に好適なのは、本発明による照明装置が、実質的に最小の構造的深さ又は結合深さが達成されるように、ファセットが実質的に平面Ｑに存在する反射体を有することであり、この平面Ｑは平面Ｔに平行に延在する。
【００１２】
別の実施例では、本発明による照明装置は、上記細長い反射体および／又は上記カウンタ反射体が光透過手段を備えることを特徴とするものであり、この光透過手段は、例えば、開口（孔）又は光導波路エレメント（光ファイバ）であり、これらは上記細長い反射体および／又はカウンタ反射体の表面に好ましくは均一に分布する。光透過手段が細長い反射体に備えられる場合、観測者が、照明装置が固定される保持体（例えば、天井）からのかすかな間接光を知覚することが可能になる。光透過手段がカウンタ反射体に備えられる場合、観測者によって知覚される細長い反射体とカウンタ反射体との間の明るさの違いが抑制され、このため、観測者は、照明装置全体により同じ明るさの光が放出されるという光学効果を感じることが達成される。
【００１３】
本発明による照明装置の可能な実施例は、相互に隣接するファセットが接続面によって相互接続され、上記コンタクト手段に近い方に位置する接続面は、面Ｔと協働して、上記コンタクト手段から遠い方に位置する接続面よりも大きい角度μを挟み、上記接続面は、電気ランプから発生した光をこのランプの動作中少なくとも実質的に反射しないような方向に向けられていることを特徴とする。これは、観測者により不快と感じられる比較的大きい明るさの光を照明装置の接続面が発するという恐れを抑制する。あるいは、接続面は、電気ランプから来る熱い空気を取り除くために設計される開口を備えることができる。斯かる開口を通じた光損失は、抑制される。
【００１４】
あるいは、本発明の目的は、上記のような実施例のうちの一つの照明装置と電気ランプとのアセンブリによって達成することができ、このアセンブリは、上記カウンタ反射体が上記電気ランプの一部分、例えば酸化アルミニウムの例えばコーティングであることを特徴とする。このコーティングは電気ランプの周りの一部を光が透過できるようにし、この透過部分は光放射窓として作用する。斯かるアセンブリを用いて、別個のカウンタ反射体を省くことが達成され、これによってアセンブリの非常に小さい結合深さ又は構造的深さが実現される。結合深さ又は取付け深さは、本発明による照明装置のファセットが面Ｔに平行に広がる面Ｑに少なくとも実質的に存在していれば、最小である。
【００１５】
本発明による照明装置の実施例は、図面に概略的に示されている。
【発明を実施するための最良の形態】
【００１６】
図１は細長い反射体５を有する照明装置１を示しており、この反射体５は軸３に沿って延在し、細長いファセット７を有する。この複数の細長いファセット７は互いに沿うように延在するとともに軸に沿って延在し、各ファセットは反射面９を有し、これらファセットは湾曲１１の断面を有する。相互に隣接するファセットは、接続面１２によって相互接続されている。コンタクト手段に近い方に位置する接続面は、面Ｔと協働して、面Ｔとコンタクト手段から遠い方に位置する接続面との間の角度μ’よりも大きい角度μを挟む。接続面は、電気ランプから発生した光をこのランプの動作中少なくとも実質的に反射しないような方向に向けられている。照明装置は細長い凹型のカウンタ反射体１３も有し、このカウンタ反射体１３は、ファセット７の反射面９とカウンタ反射体１３の光放射窓１５（この窓１５は面Ｔ内に存在する）とが互いに向き合うように、軸に沿って延在する。照明装置は、反射体５とカウンタ反射体との間に、電気ランプ１７が保持されるコンタクト手段（図示せず）が備えられている。ランプは、放電ランプ（例えば、管状の低圧水銀ガス放電ランプ）又は白熱ランプ（例えば、ハロゲン白熱ランプ）とすることができる。反射体及びカウンタ反射体は、例えば合成樹脂（例えばポリエチレン）から、又は湾曲した金属めっき（例えばアルミニウム）から製造できる。反射面は、例えば陽極酸化アルミニウムの例えば気相成長法により（カウンタ）反射体上に備えられる層、又はミラーコーティングホイルとすることができる。各ファセットｎは、光放射窓からその各ファセットｎの開口角δｎで光が照射される。大部分のファセット７の湾曲は、光放射窓１５からファセット７に入射する光がビーム角Φｎ（Φｎ＝αｎ−β）で反射するようにされたものである。βはビームの光が反射するときの面Ｔに対する最小反射角であり、このβはグレアがちょうど防止できるように（図１ではβ≒４０°）に選択される。αｎは、光が反射しカウンタ反射体にちょうど沿って進むときの面Ｔに対する最大反射角である。αｎおよびβは、それぞれビームの光が反射するときの最大反射角および最小反射角でもある。ファセット７の中の複数の中央のファセット１９は、断面が直線状である。図１に示される反射体のファセットは実質的に面Ｑに存在し、この面Ｑは面Ｔに平行に広がる。反射体５は少なくとも４：１の幅／高さ比を有し、図１においてこの比は約２０：１である。この比の結果として、照明装置は比較的小さい取付け深さ又は結合深さを有するものであり、それ故にこの照明装置は比較的低い屋根形天井および／又は比較的高さの低い空間で使用するのに適している。
【００１７】
図２は、図１の照明装置の反射体５の複数のファセット７の詳細を示し、図２では、これらのファセットは、両側が、軸３に沿って延在する折り目の形の端部２１に隣接していることが明確となっており、この折り目は、断面で、最小で角度γ＝３０°（例えば、図２ではγ＝６０°およびγ’＝７０°）の湾曲と、０．１ｍｍ≦Ｒfil≦３ｍｍの範囲の曲率半径Ｒfil（図２ではＲfil≒２．５ｍｍ）とを有するようになっている。コンタクト手段に近い方に位置するファセットの湾曲１１は、コンタクト手段から遠い方に位置するファセットの湾曲１１の半径Ｒn+1よりも大きい半径Ｒｎを有することも示されており、図２では、例えば１５ｍｍおよび２０ｍｍである。半径Ｒｎのファセットが光放射窓から光の照射をされるときの開口角δｎは、約１５°である。当該ファセットに対しておよび他の大部分のファセットに対しても、０．５δｎ≦Ｒｎ≦２δｎが当てはまる。ここで、Ｒｎはｍｍで表されるファセットｎの湾曲の半径であり、δｎは度で表される。実例として、図２は、サブファセット２３によって湾曲が得られるファセットを示す。図２に示される他のファセットは、円弧に従う湾曲を有する。
【図面の簡単な説明】
【００１８】
【図１】本発明による照明装置の一実施例の断面図である、
【図２】図１の照明装置の一細部の斜視断面図である。
【図１】
0004509103.tif 000002
【図２】
0004509103.tif 000003